(57)【特許請求の範囲】
【請求項１】
支持具に垂下されている吊下紐に吊掛具を設けて成る吊掛装置において、吊掛具又は支持具には、吊下紐を収容可能な収容ケースを設け、収容ケースには、吊下紐が導入・導出される導出入口を設けると共に、内部に内装具を設け、収容ケースの内壁面と内装具の外壁面との間に、吊下紐が導入される側から徐々に広がる傾斜状で略環状の空間部である収容部を設けて成り、導出入口から導入される吊下紐は、収容部に略螺旋状に収容されると共に、任意の位置で停止することができるように成し、吊掛具の高さ位置を変更して調整することができるように構成したことを特徴とする吊掛装置。
【発明の詳細な説明】
【技術分野】
【０００１】
本発明は、天井等に取り付けて、物干具、洋服ハンガー、観葉植物等の物品を掛けて使用する吊掛装置に関するものである。
【背景技術】
【０００２】
実開昭６０−１０９４４号のマイクロフィルムには、壁等から垂下される吊下紐に吊掛具を設けて成る吊掛装置であって、明細書には説明されていないが、図面には、吊掛具に吊下紐の一部を収容している状態が示されている。
【特許文献１】実開昭６０−１０９４４号のマイクロフィルム
【発明の開示】
【発明が解決しようとする課題】
【０００３】
上記従来例においては、吊下紐を収容する吊掛具は、単なる円筒形であるので、吊掛具に吊下紐は不規則に錯綜して収容されるおそれがあり、吊下紐を導出・導入する時に、縺れて支障を来たすという問題があり、本発明は、この問題を解決することを課題としている。
【課題を解決するための手段】
【０００４】
本発明は、上記の課題を解決するために、支持具に垂下されている吊下紐に吊掛具を設けて成る吊掛装置において、吊掛具又は支持具には、吊下紐を収容可能な収容ケースを設け、収容ケースには、吊下紐が導入・導出される導出入口を設けると共に、内部に内装具を設け、収容ケースの内壁面と内装具の外壁面との間に、吊下紐が導入される側から徐々に広がる傾斜状で略環状の空間部である収容部を設けて成り、導出入口から導入される吊下紐は、収容部に略螺旋状に収容されると共に、任意の位置で停止することができるように成し、吊掛具の高さ位置を変更して調整することができるように構成したものである。
【発明の効果】
【０００５】
以上のように本発明によれば、吊下紐は、収容部に略螺旋状に収容されやすくなるので、吊下紐は縺れにくくスムーズに導出・導入されやすくなるという効果がある。
【実施例】
【０００６】
本発明の第１実施例を図１〜図４を参照して説明する。
第１実施例の吊掛装置は、天井等に取り付ける支持具１から吊下紐２を垂下し、この吊下紐２に吊掛具３が吊下げられている。この吊下紐２は、金属製の針金を撚って形成され、適度な剛性と弾性を有しているワイヤーロープが適している。
【０００７】
吊掛具３は、物干具、洋服ハンガー、観葉植物等の物品を掛けて保持するものであり、引掛具４、収容ケース５、笠６、内装具７及びワイヤーグリップ具９を有している。
【０００８】
収容ケース５は、略円錐状の胴部５ａの上部に、略円柱状の首部５ｂを設けた形状で、胴部５ａの内部には、胴部５ａ内壁面の形状と相似形で少し小さい外形状を有する内装具７を設けてあり、収容ケース５の胴部５ａ内壁面と内装具７の外壁面との間に吊下紐２を上方から螺旋状に収容する略環状の収容部８を形成してある。吊下紐２の先端は、収容部８の奥底部に固定してある。なお略環状の収容部８とは、本実施例のように横断面にした場合に円形である他、６角形や８角形の多角形も含むものである。
【０００９】
収容ケース５の首部５ｂの内部には、ワイヤーグリップ具９を設け、収容ケース５の胴部５ａの下端部には、円錐台状の笠６を設けてある。
【００１０】
ワイヤーグリップ具９は、周知のもので、ケース１０の中にスリーブ１１が摺動可能に内蔵され、付勢ばね１３で上方に付勢されており、スリーブ１１には複数のボール１２・・・１２が設けられ、ケース１０の内壁面の一部及びスリーブ１１の外壁面の一部が傾斜面となっている。スリーブ１１には、吊下紐２が導入・導出される導出入口１４が設けられており、スリーブ１１が付勢ばね１３の力で上方に押されて、ボール１２・・・１２が、ケース１０内壁面の傾斜面により、吊下紐２を押圧して固定するようになっている。
【００１１】
内装具７には、導出入口１４と対向するように円錐状の誘導部２０を設けてあり、導出入口１４から入ってきた吊下紐２が誘導部２０の頂上に当たって、下方の収容部８に誘導されて収容されやすいようになっている。
【００１２】
収容部８は、吊下紐２が導入される側（導出入口１４の存在する側）から、本実施例では上から下に向かって、徐々に広がって傾斜状になっていると共に、胴部５ａ内壁面と内装具７の外壁面との間の寸法は、吊下紐２の太さのおよそ１．６倍になっている。なお、胴部５ａ内壁面と内装具７の外壁面との間の寸法は、吊下紐２の太さと同じ寸法から、ほぼ２倍の寸法までの範囲の寸法になっていると、収容された吊下紐２は、環状の収容部８の中で重なることがなく、螺旋状に整然と収容されやすくなる。
【００１３】
さらに上記のように収容部８を、吊下紐２が導入される側から徐々に広がっている傾斜状にすると、収容部８に収容される吊下紐２はその弾性により広がろうとして胴部５ａ内壁面に押し付けられ、傾斜状の面に沿って導出入口１４から離れたところから順次規則正しく収容されやすくなる。
【００１４】
ワイヤーグリップ具９は、収容ケース５の首部５ｂの中に、ばね１５で下方に付勢されて収容され、ワイヤーグリップ具９の外周には、赤色のシールを貼り付ける等した表示部１０ａを設けてあり、吊掛具３の引掛具４に重いものを掛けた時等に、ワイヤーグリップ具９がばね１５に抗して相対的に上方に移動し、図４に示すように、表示部１０ａが首部５ｂから露出し、荷重がかかりすぎていることを警告するようになっている。
【００１５】
引掛具４は、リング部４ａの上部に軸部４ｂを設けてあり、笠６に下方からリング部４ａを収容できるようになっている。笠６と内装具７は、一体成型されており、笠６が胴部５ａの下端部に位置すると共に、内装具７が胴部５ａの内部に位置するように、収容ケース５にビス１８・・・１８で固定される。
【００１６】
ビス１８・・・１８で固定する時に、蓋体１７を介在させ、蓋体１７と内装具７内側で空間部１９を形成し、その中に、引掛具４の軸部４ｂを内蔵し、戻しばね１６で上方に付勢してあり、蓋体１７の下方に位置するリング部４ａを上方すなわち笠６に収容される方向に付勢している。戻しばね１６は、引掛具４を持ち上げられる程度の復元力を有する弱いばねで、不使用時に引掛具４を笠６に隠し美観を向上させる。
【００１７】
引掛具４のリング部４ａに物干具等を掛けると、その重さで戻しばね１６の復元力に抗して引掛具４は下がって露出し、その状態で物干具等は保持されて使用状態となる。また、本装置を２つ間隔を置いて取り付けると、それぞれの引掛具４を下げてリング部４ａを露出させそこに物干竿を通して保持させて使用することもできる。
【００１８】
吊下紐２の長さを調整するには、ワイヤーグリップ具９によって行う。スリーブ１１を付勢ばね１３に抗してケース１０に押し入れるようにすると、吊下紐２を押圧しているボール１２・・・１２が離れ、吊下紐２が導出入口１４から導出も導入もできるようになり、適当な位置でスリーブ１１を放せば、吊掛具３は、吊下紐２に対して固定されるので、その高さ位置を調整することができる。
【００１９】
本発明の第２実施例を図５〜図１０を参照して説明する。
第２実施例の吊掛装置は、天井等に取り付ける支持具３１から吊下紐３２を垂下し、この吊下紐３２に吊掛具３３が吊下げられている。この吊下紐３２は、第１実施例と同様に金属製の針金を撚って形成され、適度な剛性と弾性を有しているワイヤーロープが適している。
【００２０】
支持具３１は、収容ケース３５、取付基体３６、内装具３７及びワイヤーグリップ具３９を有している。
【００２１】
収容ケース３５は、逆円錐台状で、天井等にねじで固定される略円盤状の取付基体３６に取り付けられる。また、取付基体３６には、収容ケース３５内壁面の形状と相似形で少し小さい外形状を有する内装具３７を、裏面中央に設けた円筒状の取付部４８によって、取り付けてあり、収容ケース３５の内壁面と内装具３７の外壁面との間に吊下紐３２を下方から螺旋状に収容する略環状の収容部３８を形成してある。吊下紐３２の先端は、収容部３８の奥底部に固定してある。なお略環状の収容部３８とは、本実施例のように横断面にした場合に円形である他、６角形や８角形の多角形も含むものである。
【００２２】
ワイヤーグリップ具３９は、その上端部に取付蓋４５を螺合され、この取付蓋４５をビス４６・・・４６で固定して、収容ケース３５の底板に取り付けられている。このワイヤーグリップ具３９は、周知のもので、ケース４０の中にスリーブ４１が摺動可能に内蔵され、付勢ばね４３で下方に付勢されており、スリーブ４１には複数のボール４２・・・４２が設けられ、ケース４０の内壁面の一部及びスリーブ４１の外壁面の一部が傾斜面となっている。スリーブ４１には、吊下紐３２が導入・導出される導出入口４４が設けられており、スリーブ４１が付勢ばね４３の力で下方に押されて、ボール４２・・・４２が、ケース４０内壁面の傾斜面により、吊下紐３２を押圧して固定するようになっている。
【００２３】
内装具３７には、導出入口４４と対向するように円錐状の誘導部４７を設けてあり、導出入口４４から入ってきた吊下紐３２が誘導部４７の頂上に当たって、上方の収容部３８に誘導されて収容されやすいようになっている。
【００２４】
収容部３８は、吊下紐３２が導入される側（導出入口４４の存在する側）から、本実施例では下から上に向かって、徐々に広がって傾斜状になっていると共に、収容ケース３５の内壁面と内装具３７の外壁面との間の寸法は、吊下紐３２の太さのおよそ１．６倍になっている。なお、収容ケース３５の内壁面と内装具３７の外壁面との間の寸法は、吊下紐３２の太さと同じ寸法から、ほぼ２倍の寸法までの範囲の寸法になっていると、収容された吊下紐３２は、環状の収容部３８の中で重なることがなく、螺旋状に整然と収容されやすくなる。
【００２５】
さらに上記のように収容部３８を、吊下紐３２が導入される側から徐々に広がっている傾斜状にすると、収容部３８に収容される吊下紐３２はその弾性により広がろうとして収容ケース３５の内壁面に押し付けられ、傾斜状の面に沿って導出入口４４から離れたところから順次規則正しく収容されやすくなる。
【００２６】
吊掛具３３は、物干具、洋服ハンガー、観葉植物等の物品を掛けて保持するものであり、引掛具３４、カバー４９及びばね５２を有している。
吊下紐３２の先端部には、取付具５４を介して引っ張りコイルばねであるばね５２が取り付けられ、このばね５２に取付具５５を介してワイヤやボールチェーン等をループ状にした引掛具３４を取り付けてある。さらに引掛具３４の先端部には下キャップ５１が取り付けられている。
【００２７】
吊掛具３３には、吊下紐３２が貫通するようにパイプ状のカバー４９が摺動可能に設けられている。カバー４９は、美観を向上させるために引掛具３４を被覆できるもので、その上端部に吊下紐３２が貫通する上キャップ５０を設けると共に、下部に括れているストッパー部５６を設けてある。カバー４９を下方に摺動して、その下端部が下キャップ５１に係合すると引掛具３４が被覆され、上方に摺動して、ストッパー部５６が上の取付具５４に係合すると引掛具３４が露出し、使用可能状態となる。
【００２８】
さらに、下の取付具５５には、ハイプ状で外周に赤色のシールを貼り付ける等した表示部５３を設けてあり、引掛具３４が露出している使用可能状態の時には、この表示部５３はカバー４９に隠れており、引掛具３４に重いものを掛けた時等に、図１０に示すように、ばね５２が伸びて表示部５３がカバー４９から露出し、荷重がかかりすぎていることを警告するようになっている。
【００２９】
吊下紐３２の長さを調整するには、ワイヤーグリップ具３９によって行う。スリーブ４１を付勢ばね４３に抗してケース４０に押し入れるようにすると、吊下紐３２を押圧しているボール４２・・・４２が離れ、吊下紐３２が導出入口４４から導出又は導入できるようになり、適当な位置でスリーブ４１を放せば、吊下紐３２は固定されるので、吊下紐３２に取り付けられている吊掛具３３の高さ位置を調整することができる。
【図面の簡単な説明】
【００３０】
【図１】（第１実施例）全体正面図である。
【図２】（第１実施例）吊掛具の断面図である。
【図３】（第１実施例）引掛具が下がった状態を示す吊掛具の断面図である。
【図４】（第１実施例）表示部が露出している状態を示す吊掛具の要部を拡大した断面図である。
【図５】（第２実施例）全体正面図である。
【図６】（第２実施例）カバーを持ち上げた状態の全体正面図である。
【図７】（第２実施例）支持具の断面図である。
【図８】（第２実施例）吊掛具の断面図である。
【図９】（第２実施例）カバーを持ち上げた状態の吊掛具の断面図である。
【図１０】（第２実施例）表示部が露出している状態を示す吊掛具の要部の断面図である。
【符号の説明】
【００３１】
１    支持具
２    吊下紐
３    吊掛具
５    収容ケース
７    内装具
８    収容部
１４    導出入口
３１    支持具
３２    吊下紐
３３    吊掛具
３５    収容ケース
３７    内装具
３８    収容部
４４    導出入口
【図１】
0004464929.tif 000002
【図２】
0004464929.tif 000003
【図３】
0004464929.tif 000004
【図４】
0004464929.tif 000005
【図５】
0004464929.tif 000006
【図６】
0004464929.tif 000007
【図７】
0004464929.tif 000008
【図８】
0004464929.tif 000009
【図９】
0004464929.tif 000010
【図１０】
0004464929.tif 000011